(57)【要約】【課題】施設やサービスの利用者が自分の個人情報を入力したり記入したりする必要がある場合に、利用者の手間を低減するとともに、不必要な個人情報を相手に通知するのを防ぐようにする。【解決手段】ユーザ情報受付装置２００に個人情報を入力する際に、ユーザは、ユーザ情報受付装置２００の表示部２０２に表示された入力画面を見て、携帯電話端末１００に記憶されている個人情報のうち、必要なものを選択して携帯電話端末１００からユーザ情報受付装置２００に送信するようにする。【選択図】図１
2008117217.tif 000002
【特許請求の範囲】
【請求項１】
ユーザの個人情報に対応する複数の項目と各前記項目に対応する前記個人情報とを対応付けて記憶する個人情報記憶部と、
前記個人情報記憶部に記憶された前記個人情報を表示する表示部と、
ユーザが操作する操作部と、
前記操作部を介して前記ユーザから、前記表示部に表示された前記個人情報の中から外部のユーザ情報受付装置に送信する項目の選択を受け付ける選択受付部と、
近距離通信機能を有し、前記選択受付部が選択を受け付けた前記項目に対応する前記個人情報を項目毎に区切りをつけて近距離通信により前記ユーザ情報受付装置に送信する送信処理部と、
を含む携帯端末装置。
【請求項２】
請求項１に記載の携帯端末装置において、
前記選択受付部は、前記ユーザ情報受付装置に送信する項目の選択とともに、各前記項目を他の項目と区別するマーキング情報の入力を前記ユーザから受け付け、
前記送信処理部は、前記項目に対応する前記個人情報を、対応する前記マーキング情報に対応付けて前記ユーザ情報受付装置に送信する携帯端末装置。
【請求項３】
請求項１に記載の携帯端末装置において、
前記個人情報記憶部は、各前記項目を他の項目と区別するマーキング情報を各前記項目に対応付けて記憶し、
前記送信処理部は、前記項目に対応する前記個人情報を、対応する前記マーキング情報に対応付けて前記ユーザ情報受付装置に送信する携帯端末装置。
【請求項４】
請求項２または３に記載の携帯端末装置において、
前記マーキング情報は、互いに異なる数字または文字であって、
前記送信処理部は、前記項目に対応する前記個人情報をそれに対応付けられた前記マーキング情報の数字順または文字順に並べ替え、その順序で前記ユーザ情報受付装置に送信する携帯端末装置。
【請求項５】
請求項２から４いずれかに記載の携帯端末装置において、
前記マーキング情報は、連続した数字または文字であって、
前記選択受付部が選択を受け付けた前記項目の前記マーキング情報の連続性を考慮して前記マーキング情報の欠落を検出する検出部と、
前記検出部が前記マーキング情報の欠落を検出した場合に、前記ユーザ情報受付装置により個人情報と同様のデータとして扱われる疑似個人情報を生成する疑似個人情報生成部と、
をさらに含み、
前記送信処理部は、前記疑似個人情報を前記検出部が欠落を検出した前記マーキング情報に対応付けて他の前記個人情報ととともに前記ユーザ情報受付装置に送信する携帯端末装置。
【請求項６】
請求項１に記載の携帯端末装置において、
前記送信処理部は、前記項目に対応する前記個人情報を、前記選択受付部が前記ユーザから前記項目の選択を受け付けた順に並べ替え、その順序で前記ユーザ情報受付装置に送信する携帯端末装置。
【請求項７】
請求項６に記載の携帯端末装置において、
前記ユーザ情報受付装置により個人情報と同様のデータとして扱われる疑似個人情報を生成する疑似個人情報生成部をさらに含み、
前記選択受付部は、前記ユーザ情報受付装置に送信すべき項目が前記個人情報記憶部に記憶されておらず前記ユーザが該当する前記項目を選択できない場合に、前記項目を選択するかわりに前記ユーザから疑似項目の挿入指示を受け付け可能に構成され、前記ユーザから前記疑似項目の挿入指示があった場合、そのタイミングで前記疑似項目が選択されたとする処理を行い、
前記疑似個人情報生成部は、前記疑似項目が選択されると、当該疑似項目に対応付けて前記疑似個人情報を生成し、
前記送信処理部は、前記疑似項目および前記疑似個人情報をそれぞれ前記個人情報記憶部に記憶された前記項目および前記個人情報と同様に扱い、前記項目に対応する前記個人情報を、前記選択受付部が前記ユーザから前記項目の選択を受け付けた順に並べ替え、その順序で前記ユーザ情報受付装置に送信する携帯端末装置。
【請求項８】
ユーザの個人情報に対応する複数の項目と各前記項目に対応する前記個人情報を入力する複数の入力領域とが対応付けられた入力画面を表示する表示部を有し、ユーザに前記表示部を見ながら当該ユーザの前記個人情報を入力させるユーザ情報受付装置であって、
近距離通信機能を有し、外部の装置から近距離通信により前記入力画面に表示された前記項目に対応する前記個人情報を項目毎に区切られた状態で受信し、受信した前記個人情報を所定のルールに従い対応する前記項目に対応付ける処理を行う受信処理部と、
前記受信処理部による対応付けに従い、前記入力画面の該当する前記入力領域に前記受信処理部が受信した前記個人情報を表示させる表示処理部と、
ユーザが操作する操作部と、
前記操作部を介して前記ユーザから前記入力画面の前記入力領域に表示された内容の確定および修正の指示、ならびに前記入力領域への前記個人情報の入力を受け付ける操作受付部と、
前記入力画面の前記入力領域に表示された内容が確定されると、当該内容を前記ユーザの個人情報として、各前記項目に対応付けて記憶するユーザ情報記憶部と、
を含むユーザ情報受付装置。
【請求項９】
請求項８に記載のユーザ情報受付装置において、
前記入力画面に表示された前記項目を他の項目と区別するマーキング情報を各前記項目に対応付けて記憶するマーキング情報記憶部をさらに含み、
前記受信処理部は、前記項目に対応する前記個人情報を前記マーキング情報に対応付けて受信し、受信した前記個人情報を前記マーキング情報記憶部に記憶された前記マーキング情報に基づき対応する前記項目に対応付けるユーザ情報受付装置。
【請求項１０】
請求項９に記載のユーザ情報受付装置において、
前記表示部は、前記複数の項目を、それぞれ、前記マーキング情報記憶部に記憶された前記マーキング情報とともに表示するユーザ情報受付装置。
【請求項１１】
請求項８に記載のユーザ情報受付装置において、
前記受信処理部は、受信した前記個人情報を受信順に、前記表示部に表示された前記項目の表示順に対応付けるユーザ情報受付装置。
【請求項１２】
請求項８に記載のユーザ情報受付装置において、
前記操作部を介してユーザから、前記表示部の前記複数の入力領域から入力を受け付ける一の前記入力領域の指定を受け付ける受付部をさらに含み、
前記表示処理部は、前記受付部が指定を受け付けた前記入力領域を他の領域と区別して表示し、
前記受信処理部は、受信した前記個人情報を、前記受付部が指定を受け付けた前記入力領域に対応する項目に対応付けるユーザ情報受付装置。
【発明の詳細な説明】
【技術分野】
【０００１】
本発明は、携帯端末装置およびユーザ情報受付装置に関する。
【背景技術】
【０００２】
ホテルに宿泊する場合等、施設を利用したりサービスを利用する際、利用者は受け付けで自分の氏名や連絡先等の個人情報を受付用紙に記入する必要がある。利用者は毎回同じような内容を記入する必要があり、手間になる。
【０００３】
一方、近年、携帯電話等の携帯端末装置が普及している。このような携帯端末装置には、ユーザの氏名や住所等の個人情報が記憶されていることが多い。また、携帯端末装置は、携帯電話網やインターネット等の大規模ネットワークだけでなく、たとえば赤外線やブルートゥース等の近距離通信機能を有するものも多く普及している。このような近距離通信機能は、たとえば地下や建物の中等、大規模ネットワークの通信状態が悪い場所でも近距離の装置とデータの送受信を行うことができるというメリットがある。
【０００４】
特許文献１（特開２００４−１３９５２５号公報）には、携帯端末を利用して個人情報の交換を実現した個人情報提供システムが記載されている。当該文献には、以下の技術が記載されている。利用者の個人情報を情報サーバ装置に登録しておき、登録した個人情報を取得するためのＵＲＬを決定して、情報サーバ装置に登録するとともに該当利用者の携帯する情報通信端末に通知する。ＵＲＬを取得した利用者は、個人情報を交換したい相手の情報通信端末にブルートゥースや赤外線を用いてＵＲＬを通知し、ＵＲＬの通知を受けた相手は情報サーバ装置にアクセスし、該当する個人情報を取得する。
【０００５】
また、特許文献２（特開２００３−２４４３４０号公報）には、携帯電話端末が移動体通信機能として備えているｉメールや高速データ通信機能を用いて電子的に名刺交換を行う技術が記載されている。当該文献には、複数の名刺パターンを準備しておき、いずれかを選択して送信することが記載されている。
【特許文献１】特開２００４−１３９５２５号公報
【特許文献２】特開２００３−２４４３４０号公報
【発明の開示】
【発明が解決しようとする課題】
【０００６】
しかし、特許文献１および特許文献２に記載の技術では、相手に送信するデータが予め設定されている。そのため、予め定められたフォーマットで送受信を行う相手としかデータの交換ができなかったり、相手に通知する必要がない情報を送信することになったり、相手に必要な情報が送信できないという問題がある。
【０００７】
本発明は上記事情に鑑みてなされたものであり、その目的とするところは、施設やサービスの利用者が自分の個人情報を入力したり記入したりする必要がある場合に、利用者の手間を低減するとともに、不必要な個人情報を相手に通知するのを防ぐようにする技術を提供することにある。
【課題を解決するための手段】
【０００８】
本発明によれば、
ユーザの個人情報に対応する複数の項目と各前記項目に対応する前記個人情報とを対応付けて記憶する個人情報記憶部と、
前記個人情報記憶部に記憶された前記個人情報を表示する表示部と、
ユーザが操作する操作部と、
前記操作部を介して前記ユーザから、前記表示部に表示された前記個人情報の中から外部のユーザ情報受付装置に送信する項目の選択を受け付ける選択受付部と、
近距離通信機能を有し、前記選択受付部が選択を受け付けた前記項目に対応する前記個人情報を項目毎に区切りをつけて近距離通信により前記ユーザ情報受付装置に送信する送信処理部と、
を含む携帯端末装置が提供される。
【０００９】
このようにすれば、個人情報記憶部に記憶された個人情報を外部のユーザ情報受付装置に送信することができるので、ユーザがユーザ情報受付装置にユーザ情報を入力する際の手間を省くことができる。また、個人情報記憶部に記憶された個人情報の中から、ユーザ情報受付装置に送信する必要のある個人情報を選択するようになっているので、不必要な情報までもが送信されるのを防ぐことができる。このように、送信する個人情報をその都度選択してユーザ情報受付装置に送信するので、種々のユーザ情報受付装置に応じて、必要な情報のみを送信することができる。
【００１０】
前記選択受付部は、前記ユーザ情報受付装置に送信する項目の選択とともに、各前記項目を他の項目と区別するマーキング情報の入力を前記ユーザから受け付けることができ、前記送信処理部は、前記項目に対応する前記個人情報を、対応する前記マーキング情報に対応付けて前記ユーザ情報受付装置に送信することができる。これにより、携帯端末装置からユーザ情報受付装置に複数の個人情報を一度に送信した場合でも、ユーザ情報受付装置において、送信された個人情報と項目との対応付けを行うことができる。
【００１１】
前記個人情報記憶部は、各前記項目を他の項目と区別するマーキング情報を各前記項目に対応付けて記憶することができ、前記送信処理部は、前記項目に対応する前記個人情報を、対応する前記マーキング情報に対応付けて前記ユーザ情報受付装置に送信することができる。これにより、携帯端末装置からユーザ情報受付装置に複数の個人情報を一度に送信した場合でも、ユーザ情報受付装置において、送信された個人情報と項目との対応付けを行うことができる。
【００１２】
前記マーキング情報は、互いに異なる数字または文字とすることができ、前記送信処理部は、前記項目に対応する前記個人情報をそれに対応付けられた前記マーキング情報の数字順または文字順に並べ替え、その順序で前記ユーザ情報受付装置に送信することができる。ここで、文字はアルファベットや５０音等とすることができ、文字順とは、アルファベッド順または５０音順、あるいはこれらの逆順とすることができる。
【００１３】
前記マーキング情報は、連続した数字または文字とすることができ、前記携帯端末装置は、前記選択受付部が選択を受け付けた前記項目の前記マーキング情報の連続性を考慮して前記マーキング情報の欠落を検出する検出部と、前記検出部が前記マーキング情報の欠落を検出した場合に、前記ユーザ情報受付装置により個人情報と同様のデータとして扱われる疑似個人情報を生成する疑似個人情報生成部と、をさらに含むことができ、前記送信処理部は、前記疑似個人情報を前記検出部が欠落を検出した前記マーキング情報に対応付けて他の前記個人情報ととともに前記ユーザ情報受付装置に送信することができる。このようにすれば、たとえばユーザ情報受付装置において、携帯端末装置から送信された個人情報をその順にユーザ情報受付装置で予め設定された項目の順に対応付けるようになっている場合でも、送信された個人情報と項目との対応付けを正しく行うことができる。ユーザ情報受付装置は、表示部を有することができ、携帯端末装置のユーザに、どの順で個人情報を送信すべきかを表示部に表示して指示することができる。
【００１４】
前記送信処理部は、前記項目に対応する前記個人情報を、前記選択受付部が前記ユーザから前記項目の選択を受け付けた順に並べ替え、その順序で前記ユーザ情報受付装置に送信することができる。これにより、ユーザ情報受付装置での処理を簡易にすることができる。
【００１５】
前記携帯端末装置は、前記ユーザ情報受付装置により個人情報と同様のデータとして扱われる疑似個人情報を生成する疑似個人情報生成部をさらに含むことができ、前記選択受付部は、前記ユーザ情報受付装置に送信すべき項目が前記個人情報記憶部に記憶されておらず前記ユーザが該当する前記項目を選択できない場合に、前記項目を選択するかわりに前記ユーザから疑似項目の挿入指示を受け付け可能に構成され、前記ユーザから前記疑似項目の挿入指示があった場合、そのタイミングで前記疑似項目が選択されたとする処理を行うことができ、前記疑似個人情報生成部は、前記疑似項目が選択されると、当該疑似項目に対応付けて前記疑似個人情報を生成することができ、前記送信処理部は、前記疑似項目および前記疑似個人情報をそれぞれ前記個人情報記憶部に記憶された前記項目および前記個人情報と同様に扱い、前記項目に対応する前記個人情報を、前記選択受付部が前記ユーザから前記項目の選択を受け付けた順に並べ替え、その順序で前記ユーザ情報受付装置に送信することができる。
【００１６】
このようにすれば、たとえばユーザ情報受付装置において、携帯端末装置から送信された個人情報をその順にユーザ情報受付装置で予め設定された項目の順に対応付けるようになっている場合でも、送信された個人情報と項目との対応付けを正しく行うことができる。ユーザ情報受付装置は、表示部を有することができ、携帯端末装置のユーザに、どの順で個人情報を送信すべきかを表示部に表示して指示することができる。
【００１７】
本発明によれば、
ユーザの個人情報に対応する複数の項目と各前記項目に対応する前記個人情報を入力する複数の入力領域とが対応付けられた入力画面を表示する表示部を有し、ユーザに前記表示部を見ながら当該ユーザの前記個人情報を入力させるユーザ情報受付装置であって、
近距離通信機能を有し、外部の装置から近距離通信により前記入力画面に表示された前記項目に対応する前記個人情報を項目毎に区切られた状態で受信し、受信した前記個人情報を所定のルールに従い対応する前記項目に対応付ける処理を行う受信処理部と、
前記受信処理部による対応付けに従い、前記入力画面の該当する前記入力領域に前記受信処理部が受信した前記個人情報を表示させる表示処理部と、
ユーザが操作する操作部と、
前記操作部を介して前記ユーザから前記入力画面の前記入力領域に表示された内容の確定および修正の指示、ならびに前記入力領域への前記個人情報の入力を受け付ける操作受付部と、
前記入力画面の前記入力領域に表示された内容が確定されると、当該内容を前記ユーザの個人情報として、各前記項目に対応付けて記憶するユーザ情報記憶部と、
を含むユーザ情報受付装置が提供される。
【００１８】
このようにすれば、ユーザが所持する携帯端末装置に記憶された個人情報を受信するとともに、それ以外のデータをユーザに入力させることができるので、ユーザがユーザ情報受付装置にユーザ情報を入力する際の手間を省くことができる。また、ユーザに入力させる項目を表示部に表示するようになっているので、ユーザが不必要な情報までもを携帯端末装置から送信するのを防ぐことができる。なお、表示処理部は、携帯端末装置から個人情報を送信する場合の手順の説明を表示部に表示するようにすることもできる。
【００１９】
前記ユーザ情報受付装置は、前記入力画面に表示された前記項目を他の項目と区別するマーキング情報を各前記項目に対応付けて記憶するマーキング情報記憶部をさらに含むことができ、前記受信処理部は、前記項目に対応する前記個人情報を前記マーキング情報に対応付けて受信し、受信した前記個人情報を前記マーキング情報記憶部に記憶された前記マーキング情報に基づき対応する前記項目に対応付けることができる。これにより、携帯端末装置からユーザ情報受付装置に複数の個人情報を一度に送信した場合でも、ユーザ情報受付装置において、送信された個人情報と項目との対応付けを行うことができる。
【００２０】
前記表示部は、前記複数の項目を、それぞれ、前記マーキング情報記憶部に記憶された前記マーキング情報とともに表示することができる。これにより、携帯端末装置側から、マーキング情報と個人情報とを対応付けて送信することができ、携帯端末装置からユーザ情報受付装置に複数の個人情報を一度に送信した場合でも、ユーザ情報受付装置において、送信された個人情報と項目との対応付けを行うことができる。
【００２１】
前記受信処理部は、受信した前記個人情報を受信順に、前記表示部に表示された前記項目の表示順に対応付けることができる。これにより、携帯端末装置側から送信された個人情報と項目との対応付けを行うことができる。
【００２２】
前記ユーザ情報受付装置は、前記操作部を介してユーザから、前記表示部の前記複数の入力領域から入力を受け付ける一の前記入力領域の指定を受け付ける受付部をさらに含むことができ、前記表示処理部は、前記受付部が指定を受け付けた前記入力領域を他の領域と区別して表示することができ、前記受信処理部は、受信した前記個人情報を、前記受付部が指定を受け付けた前記入力領域に対応する項目に対応付けることができる。これにより、携帯端末装置側から送信された個人情報と項目との対応付けを行うことができる。
【００２３】
本発明によれば、
ユーザ情報受付装置にユーザの個人情報を入力する際に、前記ユーザが保持する携帯端末装置に当該ユーザの個人情報が記憶されている場合は、近距離通信により当該携帯端末装置から前記個人情報を前記ユーザ情報受付装置に送信することにより、当該個人情報を前記ユーザ情報受付装置に入力可能とするユーザ情報受付システムであって、
前記携帯端末装置は、
複数の項目からなるユーザの個人情報を、前記項目毎に記憶する個人情報記憶部と、
前記個人情報記憶部に記憶された前記個人情報を表示する表示部と、
前記ユーザが操作する操作部と、
前記操作部を介して前記ユーザから、前記表示部に表示された前記個人情報の中から、前記ユーザ情報受付装置に送信する項目の選択を受け付ける選択受付部と、
近距離通信機能を有し、前記選択受付部が選択を受け付けた前記項目に対応する前記個人情報を項目毎に区切りをつけて近距離通信により前記ユーザ情報受付装置に送信する送信処理部と、
を含み、
前記ユーザ情報受付装置は、
前記ユーザの個人情報に対応する複数の項目と各前記項目に対応する前記個人情報を入力する入力領域とが対応付けられた入力画面を表示する表示部と、
近距離通信機能を有し、前記携帯端末装置から近距離通信により前記入力画面に表示された前記項目に対応する前記個人情報を項目毎に区切られた状態で受信し、受信した前記個人情報を所定のルールに従い対応する前記項目に対応付ける処理を行う受信処理部と、
前記受信処理部による対応付けに従い、前記入力画面の該当する前記入力領域に前記受信処理部が受信した前記個人情報を表示させる表示処理部と、
ユーザが操作する操作部と、
前記操作部を介して前記ユーザから前記入力画面の前記入力領域に表示された内容の確定および修正の指示、ならびに前記入力領域への前記個人情報の入力を受け付ける操作受付部と、
前記入力画面の前記入力領域に表示された内容が確定されると、当該内容を前記ユーザの個人情報として、各前記項目に対応付けて記憶するユーザ情報記憶部と、
を含むユーザ情報受付システムが提供される。
【００２４】
なお、以上の構成要素の任意の組合せ、本発明の表現を方法、装置、システム、記録媒体、コンピュータプログラムなどの間で変換したものもまた、本発明の態様として有効である。
【発明の効果】
【００２５】
本発明によれば、施設やサービスの利用者が自分の個人情報を入力したり記入したりする必要がある場合に、利用者の手間を低減するとともに、不必要な個人情報を相手に通知するのを防ぐようにすることができる。
【発明を実施するための最良の形態】
【００２６】
以下、本発明の実施の形態について、図面を用いて説明する。尚、すべての図面において、同様な構成要素には同様の符号を付し、適宜説明を省略する。
【００２７】
図１は、本実施の形態における携帯電話端末１００とユーザ情報受付装置２００との関係を示す模式図である。
ユーザ情報受付装置２００は、たとえばホテルのフロント等に設置される。以下、ユーザ情報受付装置２００がホテルのフロントに設置され、宿泊客の宿泊記録を受け付ける場合を例として説明する。
【００２８】
ユーザ情報受付装置２００は、表示部２０２および操作部２０４を含む。携帯電話端末１００は、ユーザ情報受付装置２００が設置されたホテルの宿泊客が所持する携帯電話端末とすることができる。携帯電話端末１００は、表示部１０２および操作部１０４を含む。また、本実施の形態において、携帯電話端末１００およびユーザ情報受付装置２００は、近距離通信機能を有する。近距離通信機能は、赤外線、ブルートゥース等とすることができる。
【００２９】
宿泊客は、チェックインする際にホテルのフロントに設置されたユーザ情報受付装置２００に宿泊記録を作成するための個人情報を入力する。宿泊客は、ユーザ情報受付装置２００の表示部２０２を見ながら、操作部２０４を操作して必要な個人情報を入力していく。本実施の形態において、ユーザ情報受付装置２００に入力しなければならない個人情報が携帯電話端末１００に既に登録されている場合、近距離通信機能により、携帯電話端末１００に登録された個人情報のうち必要な個人情報を選択的にユーザ情報受付装置２００に送信することができる。これにより、ユーザがユーザ情報受付装置２００に個人情報を入力する手間を低減することができる。また、必要な個人情報のみが送信されるので、必要な個人情報が流出してしまうのを防ぐこともできる。また、携帯電話端末１００とユーザ情報受付装置２００との間の通信を近距離通信機能により行うので、たとえば携帯電話の電波が届かないような場所でも、通信を行うことができる。
【００３０】
図２は、携帯電話端末１００およびユーザ情報受付装置２００の詳細な構成を示すブロック図である。
携帯電話端末１００は、表示部１０２、操作部１０４、表示処理部１１０、選択受付部１１２、送信処理部１１４、疑似個人情報生成部１２０、および個人情報記憶部１２２を含む。送信処理部１１４は、送信情報生成部１１６および近距離通信制御部１１８を含む。操作部１０４はキーボード、表示部１０２はディスプレイとすることができる。近距離通信制御部１１８は、赤外線やブルートゥース等の近距離通信機能によりデータの送受信を行う。
【００３１】
ユーザ情報受付装置２００は、表示部２０２、操作部２０４、表示処理部２１０、操作受付部２１２、ユーザ情報受付処理部２１４、受信処理部２１６、入力画面情報記憶部２２２、およびユーザ情報記憶部２２４を含む。受信処理部２１６は、対応付け処理部２１８および近距離通信制御部２２０を含む。近距離通信制御部２２０は、赤外線やブルートゥース等の近距離通信機能によりデータの送受信を行う。操作部２０４はキーボードやマウス、表示部２０２はディスプレイとすることができる。また、タッチパネル式のディスプレイを用いて表示部２０２と操作部２０４とを構成してもよい。
【００３２】
ユーザ情報受付装置２００は、専用の端末装置とすることもできるが、たとえばパーソナルコンピュータ（以下ＰＣという）内にプログラムをインストールすることにより実現することもできる。
【００３３】
ユーザ情報受付装置２００において、表示処理部２１０は、ユーザの個人情報に対応する複数の項目と各項目に対応する個人情報を入力する入力領域とが対応付けられた入力画面を表示部２０２に表示する処理を行う。入力画面情報記憶部２２２は、表示処理部２１０が表示部２０２に表示させる入力画面に関する情報を記憶する。入力画面情報記憶部２２２は、表示部２０２に表示させる項目や入力画面のフォーム等を記憶する。
【００３４】
携帯電話端末１００において、個人情報記憶部１２２は、ユーザの個人情報に対応する複数の項目と各記項目に対応する個人情報とを対応付けて項目毎に記憶する。表示処理部１１０は、個人情報記憶部１２２から適宜ユーザの個人情報を読み出し、表示部１０２に表示する処理を行う。
【００３５】
選択受付部１１２は、ユーザから操作部１０４を介して、表示部１０２に表示された個人情報の中から、ユーザ情報受付装置２００に送信する項目の選択を受け付ける。送信処理部１１４において、送信情報生成部１１６は、選択受付部１１２が選択を受け付けた項目に対応する個人情報を項目毎に区切りをつけた送信情報を生成する。近距離通信制御部１１８は、送信情報生成部１１６が生成した送信情報をユーザ情報受付装置２００に送信する。疑似個人情報生成部１２０は、ユーザ情報受付装置２００により個人情報と同様のデータとして扱われる疑似個人情報を生成する。疑似個人情報は、たとえばブランク情報等とすることができる。この機能は後述する。
【００３６】
ユーザ情報受付装置２００において、受信処理部２１６の近距離通信制御部２２０は、携帯電話端末１００から送信される送信情報を受信する。ここで、送信情報は、表示部２０２に表示された入力画面に表示された項目に対応する個人情報が項目毎に区切られた状態のデータとすることができる。対応付け処理部２１８は、近距離通信制御部２２０が受信した個人情報を所定のルールに従い、対応する項目に対応付ける処理を行う。この処理は後述する。
【００３７】
表示処理部２１０は、対応付け処理部２１８による対応付けに従い、表示部２０２の入力画面の該当する入力領域に受信処理部２１６が受信した個人情報を表示させる。
【００３８】
操作受付部２１２は、操作部２０４を介してユーザから入力画面の入力領域に表示された内容の確定および修正の指示、ならびに入力領域への個人情報の入力を受け付ける。ユーザ情報受付処理部２１４は、受信処理部２１６が受信した個人情報および操作受付部２１２が受け付けた個人情報を受け付ける。ユーザ情報受付処理部２１４は、表示部２０２の入力画面の入力領域に表示された内容が確定されると、当該内容をユーザの個人情報として、各項目に対応付けてユーザ情報記憶部２２４に記憶する。なお、ユーザ情報記憶部２２４は、宿泊客等のユーザ管理のためのデータベースとしてもよいが、ユーザ情報記憶部２２４は、ユーザ情報が一時的に記憶されるものとしてもよい。ユーザ情報記憶部２２４にユーザ情報が一時的に記憶された後、このユーザ情報を印刷して、印刷物にユーザに手書きでサイン等を行わせて、紙媒体でユーザの宿泊記録を管理するようにしてもよい。
【００３９】
ここで、ユーザ情報受付装置２００の表示部２０２に表示される項目は、携帯電話端末１００の個人情報記憶部１２２に記憶された項目と異なるものであってよい。携帯電話端末１００およびユーザ情報受付装置２００において、どのような項目を設定および表示するかは、それぞれの装置の製造者、管理者、またはユーザ等が設定することであって、通常異なる。つまり、どのような項目を設定するかは端末や装置毎に異なり、項目名も一致しているとは限らない。
【００４０】
そのため、携帯電話端末１００から送信する送信情報に含まれる個人情報が、ユーザ情報受付装置２００におけるどの項目に対応するのかを把握する仕組みを導入する必要がある。本実施の形態において、携帯電話端末１００において各項目を他の項目と区別するマーキング情報を個人情報に対応付けて送信し、ユーザ情報受付装置２００において各個人情報に対応付けられたマーキング情報をキーとして、各個人情報がどの項目に対応するかを把握するようにすることができる。ここで、マーキング情報は、互いに異なる数字または文字とすることができる。
【００４１】
携帯電話端末１００の選択受付部１１２は、ユーザ情報受付装置２００に送信する項目の選択とともに、各項目を他の項目と区別するマーキング情報の入力をユーザから受け付けることができる。この場合、送信情報生成部１１６は、項目に対応する個人情報を、対応するマーキング情報に対応付けた送信情報を生成する。また、ユーザ情報受付装置２００の入力画面情報記憶部２２２は、表示部２０２の入力画面に表示された項目を他の項目と区別するマーキング情報を各項目に対応付けて記憶する。以下、図２も参照しつつ、具体例を説明する。
【００４２】
図３は、ユーザ情報受付装置２００の表示部２０２に表示される入力画面の一例を示す図である。
表示部２０２には、項目が表示される項目欄２５２、項目に対応する個人情報を入力するための入力領域２５４、各項目を他の項目と識別するマーキング情報が表示されるマーキング情報欄２５０、および確認画面への移行を指示するための確認ボタン２５６が設けられる。宿泊客であるユーザは、表示部２０２を見ながら、操作部２０４を操作して、情報を入力すべき入力領域２５４のボックスにカーソルをあわせて必要な情報を入力することができる。
【００４３】
図４は、携帯電話端末１００の個人情報記憶部１２２の内部構成の一例を示す図である。個人情報記憶部１２２は、項目欄と個人情報欄とを含む。個人情報記憶部１２２は、たとえば項目として、名前、フリガナ、住所、電話１、電話２、ファックス、メール等を記憶可能となっている。ここで、名前、フリガナ、住所、電話１、電話２、メールには、それぞれ対応する個人情報が記憶されている。ここで図示したのは一例であり、個人情報記憶部１２２は、たとえばユーザの家族に関する情報、健康状態に関する情報、ユーザの勤務先等に関する情報等も、それぞれ項目毎に項目に対応付けて記憶することができる。
【００４４】
図５は、携帯電話端末１００の表示部１０２に表示される画面の一例を示す図である。
表示部１０２には、項目が表示される項目欄１５０、項目に対応する個人情報が表示される個人情報欄１５２、および選択ボックスが表示される選択欄１５４が設けられる。項目毎に、当該項目に対応する個人情報および選択ボックスが表示される。ユーザは、操作部１０４を操作して、ユーザ情報受付装置２００に送信する項目に対応する選択ボックスにチェックを入れる。ユーザは、ユーザ情報受付装置２００の表示部２０２を見て、どのような個人情報が必要かを把握して、ユーザ情報受付装置２００に送信する項目を選択することができる。たとえば、ユーザ情報受付装置２００に住所を送信する必要がない場合、住所を選択しないようにすれば、不必要な個人情報をユーザ情報受付装置２００に通知するのを防ぐことができる。これにより、個人情報の流出をできるだけ防ぐことができる。
【００４５】
図６は、図５に示した画面の選択欄１５４の選択ボックスにマーキング情報が入力された例を示す図である。この例では、マーキング情報は数字である。ユーザは、操作部１０４を操作して、ユーザ情報受付装置２００に送信したい個人情報に対応付けられた選択ボックスにカーソル等をあわせ、数字を入力する。ユーザは、ユーザ情報受付装置２００の表示部２０２を見ながら、表示部２０２の画面に表示された数字に対応する数字を入力する。
【００４６】
たとえば、ユーザ情報受付装置２００の表示部２０２に図３に示したような入力画面が示されている場合、「お名前」が「１」、「フリガナ」が「２」、「生年月日」が「３」、「ご住所」が「４」・・にそれぞれ対応付けられている。そのため、ユーザは、携帯電話端末１００において、表示部１０２の名前に対応する選択ボックスに「１」、フリガナに対応する選択ボックスに「２」、住所に対応する選択ボックスに「４」をそれぞれ入力する。
【００４７】
なお、表示処理部２１０は、携帯電話端末１００から個人情報を送信する場合の手順の説明を表示部２０２に表示することができる。たとえば、表示処理部２１０は、「この入力画面の各項目の左側に表示されている数字を送信する個人情報に対応する選択ボックスに入力して下さい。」等のメッセージを、表示部２０２に表示することができる。また、他の例として、この説明は、ユーザ情報受付装置２００から音声で出力するようにしてもよく、携帯電話端末１００の表示部１０２に表示されるようにしてもよい。また、別途説明書を配置しておいてもよい。
【００４８】
さらに、図５および図６に示した画面の例では、項目欄１５０を表示しているが、この欄は必ずしも表示しなくてよい。ユーザは、表示部１０２に表示された「山田太郎」という文字を見れば、項目がなくても、これが自分の名前であると判断できる。そのため、表示部１０２に「名前」という項目が表示されていなくても、表示部２０２に表示された入力画面の「お名前」に対応付けられた「１」というマーキング情報を表示部１０２の画面に表示された「山田太郎」に対応する選択ボックスに入力すればよいと判断することができる。
【００４９】
また、たとえば携帯電話端末１００の個人情報記憶部１２２に生年月日が記憶されていない場合、生年月日は表示部１０２に表示されない。そのため、ユーザ情報受付装置２００の表示部２０２の生年月日に対応する「３」は入力できないことになる。また、図６の画面では生年月日が表示されていないが、携帯電話端末１００の個人情報記憶部１２２に生年月日が記憶されており、他の画面で生年月日を表示させることができる場合、他の画面の生年月日に対応する選択ボックスにマーキング情報として「３」を入力するようにしてもよい。選択受付部１１２は、複数の画面で選択された個人情報をまとめて受け付けることができる。
【００５０】
図７は、送信情報生成部１１６が生成する送信情報の一例を示す図である。ユーザが図６に示されたような数字を各選択ボックスに入力した場合、送信情報生成部１１６は、図７に示したような送信情報を生成する。ここで、「山田太郎」が「１」に、「ヤマダタロウ」が「２」に、「東京都・・・」が「４」に、「０３−××××−１２３４」が「５」に、「ａｂｃ＠ｄｅｆ．ｃｏｍ」が「６」にそれぞれ対応付けられている。
【００５１】
なお、マーキング情報が数字やアルファベットや５０音等の文字の場合、これらは順序付けることができる。数字であれば小さい順、または大きい順とすることができる。また、アルファベットであれば、アルファベット順（Ａ、Ｂ、Ｃ・・・の順）または逆の順、５０音であれば、５０音順（あ、い、う・・・の順）または逆の順とすることができる。この場合、送信情報生成部１１６は、予め設定されたルール（降順とするか昇順とするか等）に従って、項目に対応する個人情報をそれに対応付けられたマーキング情報の数字順または文字順に並べ替え、その順序の送信情報を生成することができる。これにより、ユーザ情報受付装置２００において受信した送信情報中の個人情報と項目との対応付けを簡易に行うことができる。
【００５２】
図８は、入力画面情報記憶部２２２の内部構成の一例を示す図である。
入力画面情報記憶部２２２は、マーキング情報欄と項目欄とを含む。ここで、マーキング情報「１」、「２」、「３」、「４」、「５」、「６」・・・は、「お名前」、「フリガナ」、「生年月日」、「ご住所」、「お電話番号」、「Ｅメール」・・・にそれぞれ対応付けられている。
【００５３】
対応付け処理部２１８は、入力画面情報記憶部２２２を参照して、携帯電話端末１００から送信された送信情報に含まれるマーキング情報に基づき、表示部２０２に表示された入力画面の各項目と、携帯電話端末１００から送信された送信情報に含まれる個人情報とを対応付ける。
【００５４】
図９は、対応付け処理部２１８による対応付けに従い、表示部２０２の入力画面の入力領域２５４に携帯電話端末１００から送信された個人情報が表示された状態を示す図である。図７に示したような送信情報が送信された場合、識別情報１、２、４、５、および６に対応する個人情報が入力領域２５４の対応するボックス中に表示される。ここで、携帯電話端末１００からは、マーキング情報「３」に対応する生年月日が送信されていない。そのため、この箇所は未記入となっている。ユーザは、ユーザ情報受付装置２００の操作部２０４を用いて、生年月日に対応する入力領域に生年月日を入力することができる。これにより、「ご宿泊記録」の入力が終了する。以上のように、本実施の形態における携帯電話端末１００およびユーザ情報受付装置２００によれば、ユーザの手間を低減することができる。以上の処理が終了し、ユーザが確認ボタン２５６を押すと確認画面に推移し、さらにユーザが確認画面を確定させると、ユーザ情報受付処理部２１４は、その情報をユーザ情報記憶部２２４に記憶する。
【００５５】
次に、携帯電話端末１００から送信する送信情報に含まれる個人情報が、ユーザ情報受付装置２００におけるどの項目に対応するのかを把握する仕組みの他の例を説明する。
【００５６】
（他の例１）
本例では、ユーザ情報受付装置２００において、入力画面情報記憶部２２２が項目とマーキング情報との対応付けを記憶していない構成とすることができる。また、対応付け処理部２１８は、携帯電話端末１００から送信された送信情報中に含まれる個人情報を受信した順、すなわち送信情報の先頭から順に表示部２０２に表示された項目の表示順にそれぞれ対応付けることができる。
【００５７】
携帯電話端末１００において、選択受付部１１２は、マーキング情報として、連続した数字または文字の入力を受け付けることができる。送信情報生成部１１６は、選択受付部１１２が選択を受け付けた項目のマーキング情報の連続性を考慮してマーキング情報の欠落を検出することができる。たとえば、図６に示した例だと、マーキング情報として、１、２、４、５、６が入力されている。この場合、「４」が存在するのに「３」がない。送信情報生成部１１６は、マーキング情報「３」の欠落を検出する。このようにマーキング情報の欠落を検出した場合、送信情報生成部１１６は、疑似個人情報生成部１２０に、ユーザ情報受付装置２００により個人情報と同様のデータとして扱われる疑似個人情報を生成させることができる。送信情報生成部１１６は、疑似個人情報生成部１２０が生成した疑似個人情報を、欠落を検出したマーキング情報に対応付けた送信情報を生成することができる。また、送信情報生成部１１６は、予め設定されたルール（降順とするか昇順とするか等）に従って、項目に対応する個人情報をそれに対応付けられたマーキング情報の数字順または文字順に並べ替え、その順序の送信情報を生成することができる。
【００５８】
図１０は、この例において、送信情報生成部１１６が生成する送信情報の一例を示す図である。ここで、図３の項目の３番目の生年月日に該当する箇所には、「ｂｌａｎｋ」というブランク情報が挿入されており、マーキング情報「３」と対応付けられている。なお、送信情報において、個人情報がマーキング情報をキーとして、順番に並んでいればよく、マーキング情報自体を含んでいなくてもよい。
【００５９】
このようにすれば、ユーザ情報受付装置２００において、対応付け処理部２１８が、表示部２０２に表示された項目と送信された個人情報との対応付けを行うことができる。
【００６０】
（他の例２）
本例でも、他の例１と同様に、ユーザ情報受付装置２００において、対応付け処理部２１８は、携帯電話端末１００から送信された送信情報中に含まれる個人情報を受信した順、すなわち送信情報の先頭から順に表示部２０２に表示された項目の表示順にそれぞれ対応付けることができる。また、携帯電話端末１００において、選択受付部１１２は、マーキング情報の入力を受け付けない構成とすることができる。送信情報生成部１１６は、項目に対応する個人情報を、選択受付部１１２がユーザから項目の選択を受け付けた順に並べ替え、その順序の送信情報を生成することができる。また、選択受付部１１２は、ユーザ情報受付装置２００に送信すべき項目が個人情報記憶部１２２に記憶されておらずユーザが該当する項目を選択的できない場合に、項目を選択するかわりにユーザから疑似項目の挿入指示を受け付け可能に構成される。疑似個人情報生成部１２０は、選択受付部１１２が疑似項目の挿入指示を受け付けると、当該疑似項目に対応付けて疑似個人情報を生成する。ここで、疑似個人情報は、ブランク情報とすることができる。
【００６１】
図１１は、このような場合の表示部１０２の画面の一例を示す図である。
この場合、ユーザは、ユーザ情報受付装置２００の表示部２０２の入力画面を見ながら、この入力画面の上から順に、携帯電話端末１００の表示部１０２の対応する項目を選択していく。図１１では、選択した項目に「レ」が入れられていく。たとえば、表示部２０２に図３に示したような入力画面が表示されている場合、ユーザは、まず表示部１０２の「山田太郎」に対応する選択欄にチェックし、次いで「ヤマダタロウ」に対応する選択欄にチェックする。この後、表示部２０２の生年月日に対応する個人情報を選択するべきであるが、表示部１０２には生年月日が表示されていない。この場合、ユーザはブランクボタン１５６をカーソル等で選択する。これにより、選択受付部１１２は、ユーザから疑似項目の挿入指示を受け付ける。選択受付部１１２は、ユーザに選択された項目の順を記憶する記憶部を有することができる。選択受付部１１２は、ユーザから疑似項目の挿入指示があった場合、そのタイミングで疑似項目が選択されたとする処理を行う。
【００６２】
送信情報生成部１１６は、疑似項目および疑似個人情報をそれぞれ個人情報記憶部１２２に記憶された項目および個人情報と同様に扱い、項目に対応する個人情報を、選択受付部１１２がユーザから項目の選択を受け付けた順に並べ替え、その順序の送信情報を生成する。図１２は、この例において、送信情報生成部１１６が生成する送信情報の一例を示す図である。ここで、図３の項目の３番目の生年月日に該当する箇所には、「ｂｌａｎｋ」というブランク情報が挿入されている。
【００６３】
（他の例３）
本例では、携帯電話端末１００の個人情報記憶部１２２は、項目に対応付けて、マーキング情報を記憶しておくことができる。この場合は、携帯電話端末１００とユーザ情報受付装置２００との間で、どの項目に対してどのようなマーキングを対応付けるかを予め設定しておき、それぞれが把握するようにしておく必要がある。このような場合、送信情報生成部１１６は、ユーザから項目が選択されると、個人情報記憶部１２２を参照して、項目をキーとして、選択された個人情報とマーキング情報とを対応付けてユーザ情報受付装置２００に送信する送信情報を生成することができる。
【００６４】
（他の例４）
また、以上の例では、複数の個人情報をまとめて携帯電話端末１００からユーザ情報受付装置２００に送信する例を説明したが、携帯電話端末１００から、１項目ずつ対応する個人情報を送信するようにしてもよい。以下、図１３および図１４を参照して説明する。
【００６５】
図１３は、ユーザ情報受付装置２００の表示部２０２に表示される画面の一例を示す図である。図１４は、携帯電話端末１００の表示部１０２に表示される画面の一例を示す図である。表示部２０２の画面において、「お名前」に対応する入力領域２５４のボックスにカーソル「＿  」があわされており、このボックスが選択されている。ユーザは、ユーザ情報受付装置２００の操作部２０４を操作して、所望のボックスにカーソルをあわせる。ユーザ情報受付装置２００において、対応付け処理部２１８は、表示部２０２の画面でどの項目が選択されているかを把握することができる。
【００６６】
この状態で、ユーザは携帯電話端末１００の操作部１０４を操作して、山田太郎に対応する「送信」ボタンを押す処理を行う。送信情報生成部１１６は、「山田太郎」を含む送信情報を生成し、近距離通信制御部１１８はこれをユーザ情報受付装置２００に送信する。ユーザ情報受付装置２００において、対応付け処理部２１８は、表示部２０２の画面で選択されている「お名前」と、携帯電話端末１００から送信された「山田太郎」とを対応付ける。ユーザがこのような処理を行うことにより、携帯電話端末１００からユーザ情報受付装置２００に順次個人情報が送信される。
【００６７】
また、表示部２０２および操作部２０４をタッチパネルで構成する場合、ユーザがこれから送信しようとする個人情報に対応する項目に対応する入力領域２５４のボックスに触れると、そのボックスが選択されるようにすることもできる。また、図１４において、携帯電話端末１００の表示部１０２には複数の送信ボタンが表示されているが、送信ボタンは一つだけにして、ユーザが選択した個人情報が反転表示される等により、選択された個人情報を把握できるようにしてもよい。
【００６８】
（他の例５）
本例では、ユーザ情報受付装置２００において、携帯電話端末１００から送信された送信情報が表示部２０２に表示され、ユーザが操作部２０４を用いて、各個人情報に項目を対応付けるようにすることができる。この場合、携帯電話端末１００は、とくに順序を意識することなく、各個人情報を項目毎に区切って送信するだけでよい。携帯電話端末１００から複数の個人情報が送信された場合でも、これらの個人情報が区切られている場合、ユーザ情報受付装置２００での取り扱いを簡易にすることができる。
【００６９】
以上のように、携帯電話端末１００から送信する送信情報に含まれる個人情報が、ユーザ情報受付装置２００におけるどの項目に対応するのかを把握する仕組みは種々ある。どの仕組みを用いるかは、装置や端末によって異なるが、個人情報の送信を開始する前に、携帯電話端末１００とユーザ情報受付装置２００との間でどの仕組みを用いるかにつき通信を行い、決定することができる。たとえば、携帯電話端末１００が、個人情報とマーキング情報とを対応付けてユーザ情報受付装置２００に送信する仕組みと、ユーザが選択した順に個人情報を送信する仕組みの両方の機能を有する場合、ユーザ情報受付装置２００で利用可能な仕組みに応じて、いずれの機能を利用するかを決定することができる。また、表示処理部２１０は、携帯電話端末１００のユーザに、どのような手順で個人情報を選択するべきかの説明を適宜表示部２０２に表示することができる。この説明は、携帯電話端末１００の表示処理部１１０により表示部１０２に表示されるようにしてもよく、ユーザ情報受付装置２００の近くに説明書を置いておくのでもよい。
【００７０】
図２で示した携帯電話端末１００およびユーザ情報受付装置２００の各構成要素は、ハードウエア単位の構成ではなく、機能単位のブロックを示している。携帯電話端末１００およびユーザ情報受付装置２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。
【００７１】
以上、図面を参照して本発明の実施形態について述べたが、これらは本発明の例示であり、上記以外の様々な構成を採用することもできる。
【００７２】
以上では、ホテルのフロントで宿泊登録を記入する場合を例として説明したが、本発明は、保険の申し込み、会員申し込み、ゴルフ場の申し込み、定期購入の申し込み、宅配便の申し込み等の各種申し込みや登録等、個人情報を入力したり記入したりする必要がある様々な手続きに適用することができる。
【００７３】
また、以上では、携帯端末装置が携帯電話端末である場合を例として説明したが、携帯端末装置は携帯電話端末に限られず、たとえばＰＤＡ等、個人情報が記憶されているような種々の携帯端末装置とすることができる。
【図面の簡単な説明】
【００７４】
【図１】本発明の実施の形態における携帯電話端末とユーザ情報受付装置との関係を示す模式図である。
【図２】携帯電話端末およびユーザ情報受付装置の詳細な構成を示すブロック図である。
【図３】ユーザ情報受付装置の表示部に表示される入力画面の一例を示す図である。
【図４】携帯電話端末の個人情報記憶部の内部構成の一例を示す図である。
【図５】携帯電話端末の表示部に表示される画面の一例を示す図である。
【図６】図５に示した画面の選択欄の選択ボックスにマーキング情報が入力された例を示す図である。
【図７】携帯電話端末の送信情報生成部が生成する送信情報の一例を示す図である。
【図８】ユーザ情報受付装置の入力画面情報記憶部の内部構成の一例を示す図である。
【図９】ユーザ情報受付装置の対応付け処理部により対応付けに従い、表示部の入力画面の入力領域に携帯電話端末から送信された個人情報が表示された状態を示す図である。
【図１０】携帯電話端末の送信情報生成部が生成する送信情報の一例を示す図である。
【図１１】携帯電話端末の表示部に表示される画面の一例を示す図である。
【図１２】携帯電話端末の送信情報生成部が生成する送信情報の一例を示す図である。
【図１３】ユーザ情報受付装置の表示部に表示される画面の一例を示す図である。
【図１４】携帯電話端末の表示部に表示される画面の一例を示す図である。
【符号の説明】
【００７５】
１００ 携帯電話端末
１０２ 表示部
１０４ 操作部
１１０ 表示処理部
１１２ 選択受付部
１１４ 送信処理部
１１６ 送信情報生成部
１１８ 近距離通信制御部
１２０ 疑似個人情報生成部
１２２ 個人情報記憶部
１５０ 項目欄
１５２ 個人情報欄
１５４ 選択欄
１５６ ブランクボタン
２００ ユーザ情報受付装置
２０２ 表示部
２０４ 操作部
２１０ 表示処理部
２１２ 操作受付部
２１４ ユーザ情報受付処理部
２１６ 受信処理部
２１８ 対応付け処理部
２２０ 近距離通信制御部
２２２ 入力画面情報記憶部
２２４ ユーザ情報記憶部
２５０ マーキング情報欄
２５２ 項目欄
２５４ 入力領域
２５６ 確認ボタン
【図１】
2008117217.tif 000003
【図２】
2008117217.tif 000004
【図３】
2008117217.tif 000005
【図４】
2008117217.tif 000006
【図５】
2008117217.tif 000007
【図６】
2008117217.tif 000008
【図７】
2008117217.tif 000009
【図８】
2008117217.tif 000010
【図９】
2008117217.tif 000011
【図１０】
2008117217.tif 000012
【図１１】
2008117217.tif 000013
【図１２】
2008117217.tif 000014
【図１３】
2008117217.tif 000015
【図１４】
2008117217.tif 000016